(57)【要約】【課題】画像表示装置において、入力映像信号の種類の判別を高速化し、映像が表示されるまでの処理を高速化することを目的とする。【解決手段】入力映像信号の種類を判別する特徴データを記録してある記録部１１１の登録データについて、登録時刻が新しい映像信号の順番に選択設定する。また、以前入力された映像信号と特徴が一致したもののうち、時刻の新しい順番に選択設定する。選択設定した映像信号の特徴データの中から全ての映像信号について異なる特徴データを判別条件として設定し、以降、入力される映像信号について上記設定した判別条件のみを用いて信号種類の判別を行うように構成する。【選択図】  図２
2004240363.tif 000002
【特許請求の範囲】
【請求項１】
入力した映像信号の種類を自動的に判別する画像表示装置の映像信号判別装置であって、入力した映像信号の種類を判別するための特徴データを検出する映像信号特徴検出手段と、映像信号の特徴データを予め登録しておく記録手段と、前記映像信号特徴検出手段の検出結果と前記記録手段に登録されている特徴データを用いて入力映像信号の種類を判別する映像信号種類判別手段を具備し、
前記記録手段に特徴データを登録されたもののうち、時刻の新しいものから順番に２種類以上の映像信号を選択設定し、前記選択設定した映像信号の特徴データについてそれらの特徴データが異なるデータを抽出して判別条件として、以降入力した映像信号について、前記映像信号特徴検出手段によって検出した特徴データの中で、前記判別条件とした特徴データのみを用いて入力映像信号の種類を判別することを特徴とする映像信号判別装置。
【請求項２】
前記選択設定する映像信号が、前記記録手段に登録されている映像信号のうち、登録時刻が新しい順番に少なくとも２種類以上を選択したものであることを特徴とする請求項１記載の映像信号判別装置。
【請求項３】
前記選択設定する映像信号が、前記記録手段に登録されている映像信号のうち、少なくとも２種類以上の任意の映像信号を選択したものであることを特徴とする請求項１記載の映像信号判別装置。
【請求項４】
入力した映像信号の種類を自動的に判別する画像表示装置の映像信号判別装置であって、入力した映像信号の種類を判別するための特徴データを検出する映像信号特徴検出手段と、映像信号の特徴データを予め登録しておく記録手段と、前記映像信号特徴検出手段の検出結果と前記記録手段に登録されている特徴データを用いて入力映像信号の種類を判別する映像信号種類判別手段を具備し、
前記記録手段に登録された映像信号を、以前入力された映像信号と特徴が一致したもののうち、時刻の新しい順番に少なくとも２種類以上選択設定し、前記選択設定された映像信号の特徴データについてそれらの特徴データが異なるデータを抽出して判別条件として、以降入力した映像信号について、前記映像信号特徴検出手段によって検出した特徴データの中で、前記判別条件とした特徴データのみを用いて入力映像信号の種類を判別することを特徴とする映像信号判別装置。
【請求項５】
入力映像信号の種類を判別するための特徴データが、水平走査周波数、垂直走査周波数、同期信号極性、同期信号方式、色信号方式の少なくとも１つ以上であることを特徴とする請求項１または請求項４記載の映像信号判別装置。
【請求項６】
入力した映像信号の種類を自動的に判別する画像表示装置の映像信号判別方法であって、入力した映像信号の種類を判別するための特徴データを検出する映像信号特徴検出ステップと、前記映像信号特徴検出ステップの検出結果と記録手段に登録されている特徴データを用いて入力映像信号の種類を判別する映像信号種類判別ステップを具備し、
前記映像信号種類判別ステップは、前記記録手段に特徴データを登録されたもののうち、時刻の新しいものから順番に２種類以上の映像信号を選択設定し、前記選択設定した映像信号の特徴データについてそれらの特徴データが異なるデータを抽出して判別条件として、以降入力した映像信号について、前記映像信号特徴検出手段によって検出した特徴データの中で、前記判別条件とした特徴データのみを用いて入力映像信号の種類を判別することを特徴とする映像信号判別方法。
【請求項７】
入力した映像信号の種類を自動的に判別する画像表示装置の映像信号判別方法であって、入力した映像信号の種類を判別するための特徴データを検出する映像信号特徴検出ステップと、前記映像信号特徴検出ステップの検出結果と前記記録手段に登録されている特徴データを用いて入力映像信号の種類を判別する映像信号種類判別ステップを具備し、
前記映像信号種類判別ステップは、特徴データを登録した映像信号を、以前入力された映像信号と特徴が一致したもののうち、時刻の新しい順番に少なくとも２種類以上選択設定し、前記選択設定した映像信号の特徴データについてそれらの特徴データが異なるデータを抽出して判別条件として、以降入力した映像信号について、前記映像信号特徴検出ステップによって検出した特徴データの中で、前記判別条件とした特徴データのみを用いて入力映像信号の種類を判別することを特徴とする映像信号判別方法。
【発明の詳細な説明】
【０００１】
【発明の属する技術分野】
本発明は、異なった形式の映像信号を入力して表示する画像表示装置などに用いられる映像信号判別装置および方法に関するものである。
【０００２】
【従来の技術】
近年、ビデオディスクプレーヤーなどの映像機器の充実とパーソナルコンピューターなどの普及により、幾つもの種類の映像信号を入力して表示できる画像表示装置の要望が高まってきている。
【０００３】
図５は映像信号判別装置を有する画像表示装置の一例として液晶パネルを用いた投写型画像表示装置の一例の構成を示した構成図である。
【０００４】
図５において、１は液晶パネル、２は液晶パネル１を照明するための光源、３は光源２より照射された光を反射させるための反射鏡、４は光源２より照射された光および反射鏡３で反射された光を集光するための集光レンズ、５は液晶パネル１上に表示された映像を拡大投写するための投写レンズ、６はスクリーン、１１は入力された映像信号を処理して一定の信号形式に変換する映像信号処理部、１２は映像信号より同期信号を生成する同期信号処理部、１３は入力映像信号を液晶パネル１に表示させる垂直画素数および水平画素数に変換する画素数変換部、１４は同期信号処理部１２で処理された同期信号より入力映像信号の特徴データを検出する映像信号特徴検出部、１５は映像信号特徴検出部１４で検出した映像信号の特徴データより映像信号の種類を判別する映像信号種類判別部、１６は映像信号種類判別部１５での映像信号種類の判別に用いる各種映像信号の特徴データを記録しておくための記録部、１７は映像信号種類判別部１５の信号判別結果より映像信号処理部１１と画素数変換部１３の設定行う映像表示制御部、１８は画素数変換部１３の出力映像信号と同期信号より液晶パネル１を駆動するための液晶パネル駆動部である。
【０００５】
図５に示したような映像信号判別装置では、入力されている映像信号を液晶パネル１に表示できるようにするために、映像信号特徴検出１４で当該映像信号の同期信号より映像信号の特徴データを検出し、映像信号種類判別部１５で記録部１６に記録されている各種映像信号の特徴データと比較して映像信号の種類を判定していた。
【０００６】
映像信号の特徴データを検出するために映像信号特徴検出部１４は、例えば映像信号の水平走査周波数を検出する水平走査周波数検出部２１、同じく垂直走査周波数を検出する垂直走査周波数検出部２２、同期信号の極性を検出する同期信号極性検出部２３で構成されている。水平走査周波数検出部２１、垂直走査周波数検出部２２の構成については従来から多くの構成方式が提案されているが、例えば、基準クロックの個数を一水平走査期間、一垂直走査期間についてカウントすることで検出することができる。また、同期信号極性検出部２３も例えば、積分回路を用いて構成することができる。
【０００７】
従来の映像信号判別装置および方法の一例としては特開平８−１２９３６７号公報に記載されたものがある。特開平８−１２９３６７号公報に記載された画像表示装置の映像信号判別装置および方法では、映像信号の種類を判別する特徴データとして、水平走査周波数、垂直走査周波数、同期信号極性を用いた場合について開示されている。
【０００８】
図６は従来の映像信号判別装置および方法における映像信号判別の手順の一例を示したフローチャートである。
【０００９】
図６に示した従来の映像信号判別装置および方法では、まず、入力された映像信号の水平走査周波数を水平走査周波数検出部２１で検出し、検出結果より水平走査周波数毎に分けられたグループ（Ｈ１〜Ｈｐ）より水平走査周波数が一致するグループを選択する（ステップ（Ｓ）５１）。次に、入力された映像信号の垂直走査周波数を垂直走査周波数検出部２２で検出し、検出結果より垂直走査周波数毎に分けられたグループ（Ｖ１〜Ｖｑ）より垂直走査周波数が一致するグループを選択する（Ｓ５２）。最後に、入力映像信号の同期信号の極性を同期信号方式検出部２３で検出し、検出結果より同期信号極性によって分けられた信号（Ｓｙ１〜Ｓｙｒ）より同期信号極性が一致する信号を選択し、入力された映像信号の種類を決定する（Ｓ５３）ように構成されていた。
【００１０】
【特許文献１】
特開平８−１２９３６号公報
【００１１】
【発明が解決しようとする課題】
上記したような従来の方式の映像信号判別装置および方法では、入力された映像信号の種類を判別するために、映像信号特徴検出部１４の水平走査周波数検出部２１、垂直周波数検出部２２、同期信号極性検出部２３で入力映像信号の特徴データを検出し、これらの検出した特徴データを映像信号種類判別部１５で記録部１６に記録されている映像信号の特徴データと順番に比較判別して入力された映像信号の種類を判別していた。このために、映像信号の種類を判別するときに、判別処理を開始してから、映像信号の種類を判別するまでに時間が必要であり、画像表示装置の入力切り換え操作時などにおいて、入力切り換え操作を開始してから、映像が表示されるまでに時間が必要であった。
【００１２】
本発明は、上記したような課題を鑑み、入力された映像信号の種類の判別を高速に行うことができる画像表示装置に用いる映像信号判別装置および方法を提供することを目的としている。
【００１３】
【課題を解決するための手段】
上記した課題を解決するために第１の発明は、入力した映像信号の種類を自動的に判別する画像表示装置の映像信号判別装置であって、入力した映像信号の種類を判別するための特徴データを検出する映像信号特徴検出手段と、映像信号の特徴データを予め登録しておく記録手段と、前記映像信号特徴検出手段の検出結果と前記記録手段に登録されている特徴データを用いて入力映像信号の種類を判別する映像信号種類判別手段を具備し、
前記記録手段に特徴データを登録されたもののうち、時刻の新しいものから順番に２種類以上の映像信号を選択設定し、前記選択設定した映像信号の特徴データについてそれらの特徴データが異なるデータを抽出して判別条件として、以降入力した映像信号について、前記映像信号特徴検出手段によって検出した特徴データの中で、前記判別条件とした特徴データのみを用いて入力映像信号の種類を判別することを特徴とする。
【００１４】
上記のように、第１の発明によれば、記録手段に特徴データを登録した映像信号を選択設定して、特徴データが異なる点を抽出して判別条件とし、以降入力した映像信号についてこの判別条件を用いて信号種類を判別することにより、映像信号を切り換える時などにおいて映像信号の種類判別を高速に行うことができる。
【００１５】
第２の発明は、第１の発明において、前記選択設定する映像信号が、前記記録手段に登録されている映像信号のうち、登録時刻が新しい順番に少なくとも２種類以上を選択したものであることを特徴とする。
【００１６】
上記のように、第２の発明によれば、選択設定をする映像信号を記録手段への登録時刻が新しい順番に少なくとも２種類以上とすることで、使用頻度が高い映像信号を選択設定する可能性が高くなり、映像信号の種類判別をより高速に行うことができる。
【００１７】
第３の発明は、第１の発明において、前記選択設定する映像信号が、前記記録手段に登録されている映像信号のうち、少なくとも２種類以上の任意の映像信号を選択したものであることを特徴とする。
【００１８】
上記のように、第３の発明によれば、選択設定する映像信号を記録手段に登録されている映像信号の少なくとも２種類以上の任意の映像信号を選択するとすることで、表示する映像信号種類を予め設定できるので、映像信号を切り換える時に映像信号の種類判別をより高速に行うことができる。
【００１９】
第４の発明は、入力した映像信号の種類を自動的に判別する画像表示装置の映像信号判別装置であって、入力した映像信号の種類を判別するための特徴データを検出する映像信号特徴検出手段と、映像信号の特徴データを予め登録しておく記録手段と、前記映像信号特徴検出手段の検出結果と前記記録手段に登録されている特徴データを用いて入力映像信号の種類を判別する映像信号種類判別手段を具備し、
前記記録手段に登録された映像信号を、以前入力された映像信号と特徴が一致したもののうち、時刻の新しい順番に少なくとも２種類以上選択設定し、前記選択設定された映像信号の特徴データについてそれらの特徴データが異なるデータを抽出して判別条件として、以降入力した映像信号について、前記映像信号特徴検出手段によって検出した特徴データの中で、前記判別条件とした特徴データのみを用いて入力映像信号の種類を判別することを特徴とする。
【００２０】
上記のように、第４の発明によれば、記録手段に特徴データを登録した映像信号を、以前入力された映像信号と特徴が一致したもののうち、時刻の新しい順に少なくとも２種類以上選択設定して、特徴データが異なる点を抽出して判別条件とし、以降入力した映像信号についてこの判別条件を用いて信号種類を判別することにより、映像信号を切り換える時に映像信号の種類判別を高速に行うことができる。
【００２１】
第５の発明は、第１および第４の発明において、入力映像信号の種類を判別するための特徴データが、水平走査周波数、垂直走査周波数、同期信号極性、同期信号方式、色信号方式の少なくとも１つ以上であることを特徴とする。
【００２２】
上記のように、第５の発明によれば、映像信号の種類を判別するための特徴データを、水平走査周波数、垂直走査周波数、同期信号極性、同期信号方式、色信号方式の少なくとも１つ以上とすることで入力映像信号の種類を正確に判別することができる。
【００２３】
第６の発明は、入力した映像信号の種類を自動的に判別する画像表示装置の映像信号判別方法であって、入力した映像信号の種類を判別するための特徴データを検出する映像信号特徴検出ステップと、前記映像信号特徴検出ステップの検出結果と記録手段に登録されている特徴データを用いて入力映像信号の種類を判別する映像信号種類判別ステップを具備し、
前記映像信号種類判別ステップは、前記記録手段に特徴データを登録されたもののうち、時刻の新しいものから順番に２種類以上の映像信号を選択設定し、前記選択設定した映像信号の特徴データについてそれらの特徴データが異なるデータを抽出して判別条件として、以降入力した映像信号について、前記映像信号特徴検出手段によって検出した特徴データの中で、前記判別条件とした特徴データのみを用いて入力映像信号の種類を判別することを特徴とする。
【００２４】
上記のように、第６の発明によれば、記録手段に特徴データを登録した映像信号を選択設定して、特徴データが異なる点を抽出して判別条件とし、以降入力した映像信号についてこの判別条件を用いて信号種類を判別することにより、映像信号を切り換える時に映像信号の種類判別を高速に行うことができる。
【００２５】
第７の発明は、入力した映像信号の種類を自動的に判別する画像表示装置の映像信号判別方法であって、入力した映像信号の種類を判別するための特徴データを検出する映像信号特徴検出ステップと、前記映像信号特徴検出ステップの検出結果と前記記録手段に登録されている特徴データを用いて入力映像信号の種類を判別する映像信号種類判別ステップを具備し、
前記映像信号種類判別ステップは、特徴データを登録した映像信号を、以前入力された映像信号と特徴が一致したもののうち、時刻の新しい順番に少なくとも２種類以上選択設定し、前記選択設定した映像信号の特徴データについてそれらの特徴データが異なるデータを抽出して判別条件として、以降入力した映像信号について、前記映像信号特徴検出ステップによって検出した特徴データの中で、前記判別条件とした特徴データのみを用いて入力映像信号の種類を判別することを特徴とする。
【００２６】
上記のように、第７の発明によれば、特徴データを登録した映像信号を、以前入力された映像信号と特徴が一致したもののうち、時刻の新しい順番に少なくとも２種類以上選択設定し、特徴データが異なる点を抽出して判別条件とし、以降入力した映像信号についてこの判別条件を用いて信号種類を判別することにより、映像信号を切り換える時に映像信号の種類判別を高速に行うことができる。
【００２７】
【発明の実施の形態】
以下、本発明の実施形態について図面を用いて説明する。
【００２８】
（実施の形態１）
図１は本発明の第１の実施形態にかかる映像信号判別装置の一例の構成を示した構成図である。
【００２９】
図１において１００は入力された映像信号を表示するための画像表示部、１０１は第１の入力端子、１０２は第２の入力端子、１０３は第１の入力端子より入力された第１の映像信号を処理して一定の信号形式に変換する第１の映像信号処理部、１０４は第１の映像信号より同期信号を生成する第１の同期信号処理部、１０５は第２の入力端子より入力された第２の映像信号を処理して一定の信号形式に変換する第２の映像信号処理部、１０６は第２の映像信号より同期信号を生成する第２の同期信号処理部、１０７は第１の映像信号処理部１０３の出力と第２の映像信号処理部１０５の出力信号を選択する映像信号切り換え部、１０８は同様に第１の同期信号処理部１０４と第２の同期信号処理部１０６の出力同期信号を切り換えるための同期信号切り換え部、１０９は第１および第２の映像信号処理部１０３、１０５で処理された映像信号と第１および第２の同期信号処理部１０４、１０６で処理された同期信号より入力映像信号の特徴データを検出する映像信号特徴検出部、１１０は映像信号特徴検出部１０９で検出した映像信号の特徴データより映像信号の種類を判別する映像信号種類判別部、１１１は映像信号種類判別部１１０での映像信号種類の判別に用いる各種映像信号の特徴データを記録しておくための記録部、１１２は映像信号種類判別部１１０の信号判別結果より第１および第２の映像信号処理部１０３、１０５と画像サイズ変換部１１３の設定行う映像表示制御部、１１３は映像信号切り換え部１０７で選択された信号を画像表示部１００に表示させる垂直画素数および水平画素数に変換する画像サイズ変換部、１１４は画像サイズ変換部１１３の出力映像信号と同期信号より画像表示部１００を駆動するための画像表示部駆動部である。
【００３０】
また、映像信号特徴検出部１０９は、映像信号の水平走査周波数を検出する水平走査周波数検出部１２１、垂直走査周波数を検出する垂直走査周波数検出部１２２、同期信号の極性を検出する同期信号極性検出部１２３、分離方式やシンク・オン・グリーン方式といった同期信号の方式を検出する同期信号方式検出部１２４、複合映像信号のカラー信号方式を検出するカラー信号方式検出部１２５で構成されている。ここで、カラー信号方式検出部１２５は、映像信号特徴検出部１０９の中に含まれているように説明しているが、これは説明を容易にする目的のためであって、一般的には、カラー信号方式検出部１２５は映像信号処理部１０３または１０５の中に含まれていて、検出結果が映像信号特徴検出部１０９に入力される構成であることが多い。
【００３１】
一般に画像表示装置に入力される映像信号は、輝度信号と色信号を表す信号方式、水平走査周波数、垂直走査周波数、水平画素数、垂直画素数などといった信号方式が様々であり、これらの映像信号を正しく画像表示部１００に表示させるには、第１および第２の映像信号処理部１０３、１０５を入力された映像信号の種類に対応できるように正しく設定しなければならない。また、画像表示部１００に例えば液晶表示パネルのように垂直方向と水平方向の表示画素数が固定されている方式の画像表示部を用いた場合には、画像サイズ変換部１１３の設定も入力映像信号の種類に応じて必要である。
【００３２】
映像信号判別装置は、上記した第１および第２の映像信号処理部１０３、１０５や画像サイズ変換部１１３の設定を行うために入力映像信号の種類を判別し、設定のための制御信号を発生するものであり、映像信号が切り換えられた時などに画像表示部１００に素早く画像を表示させるためには、入力映像信号の判別も高速に行われなければならない。
【００３３】
以下、図面を参照しながら本発明の第１の実施形態にかかる映像信号判別装置の動作について説明する。
【００３４】
本発明の第１の実施形態にかかる映像信号判別装置の動作を詳しく説明するために、異なった種類の映像信号が第１の入力端子１０１と第２の入力端子１０２より入力されており、第２の入力端子１０２より入力した映像信号を表示している状態であるとして、入力を切り換えて第１の入力端子１０１より入力されている映像信号を表示する場合を例にして説明する。
【００３５】
第１の入力端子１０１より入力された映像信号について、第１の同期信号処理部１０４で水平同期信号および垂直同期信号を再生し、映像信号特徴検出部１０９に入力する。そして、水平走査周波数検出部１２１、垂直走査周波数検出部１２２、同期信号極性検出部１２３、同期信号方式検出部１２４で、それぞれ水平走査周波数、垂直走査周波数、同期信号の極性、同期信号の方式といった特徴データを検出する。加えて、入力信号が複合映像信号である場合は、カラー信号方式検出部１２５でカラー信号方式を検出する。
【００３６】
そして、これらの検出した特徴データを映像信号種類判別部１１０に入力し、記録部１１１に登録されている各映像信号の特徴データと比較して、入力映像信号の種類を判別する。
【００３７】
図２は記録部１１１に記録されている映像信号の特徴データの様子を示した模式図である。
【００３８】
図２に示したように記録部１１１は、登録信号毎に記録領域Ｂ１１〜Ｂ１ｎが設定されていて、各領域にはその映像信号の水平走査周波数、垂直走査周波数、同期信号極性、同期信号方式、カラー信号方式といった特徴データが登録されている。また、各記録領域への登録時刻は記録領域Ｂ１１が最も新しく、記録領域Ｂ１ｎが最も古いとする。
【００３９】
本発明の映像信号判別装置では、装置の起動時や別途設定を指示された時点において、記録部１１１に記録された登録信号を登録時刻の新しい順番に別途設定された選択信号数による個数について選択設定し、それらの記録領域に登録されている各特徴データを比較して、異なっている特徴データを判別条件として抽出する。
【００４０】
例えば、図２のように選択信号数が「３」であったとすれば、登録時刻の新しい順に記録領域Ｂ１１、Ｂ１２、Ｂ１３を選択し、この選択した記録領域Ｂ１１、Ｂ１２、Ｂ１３に登録されている各登録データを比較して、その中で異なる特徴データを抽出する。図２の場合では、水平走査周波数と垂直走査周波数が記録領域Ｂ１１〜Ｂ１３で異なっているが、全記録領域で異なっているのは水平走査周波数なので、水平走査周波数を判別条件に設定する。
【００４１】
以降、映像信号の入力端子を切り換えたり、接続を変更したりして入力映像信号が切り替わったときに、入力信号種類の映像信号種類判別部１１０での判別には、映像信号特徴検出部１０９で検出した各特徴データのうち、上記設定した判別条件である水平走査周波数だけを用いて入力映像信号の判別を行うように動作する。
【００４２】
ここで、記録部１１１への登録時刻が新しい順番にいくつかの映像信号を選択設定することが効果的である理由は、画像表示装置を使用して映像を表示する場合には、一般的には事前に表示したい映像信号を全て表示させて記録部１１１に特徴データを登録することが行われるので、記録部１１１への登録時刻が新しい映像信号は使用される確率が高いからである。
【００４３】
図３は上記した本発明の第１の実施形態にかかる映像信号判別装置動作の一例を説明するためのフローチャートである。図３において、図３（ａ）が特徴データを抽出するときのフローチャートで、図３（ｂ）が入力信号種類を判別するときのフローチャートである。
【００４４】
図３（ａ）のフローチャートに示したように特徴データの抽出は、選択信号数の設定（ステップ（Ｓ）１０１）のあと、記録部１１１への登録時刻が新しい順番に登録された映像信号を選択信号数だけ選択（Ｓ１０２）し、そのなかで各々登録された特徴データを比較して相違点を抽出（Ｓ１０３）し、抽出した相違点を判別条件とする（Ｓ１０４）。
【００４５】
また、図３（ｂ）のフローチャートに示したように入力信号種類の判別は、入力映像信号の状態の変化を検出（Ｓ２０１）したならば、映像信号特徴検出部１０９で入力映像信号の特徴データを検出（Ｓ２０２）し、判別条件に設定した特徴データについて選択設定した映像信号の記録部１１１に登録されている特徴データと比較（Ｓ２０３）し、入力映像信号の種類を判別（Ｓ２０４）する。
【００４６】
ここで、映像信号特徴検出部１０９での入力映像信号の特徴データの検出は、入力映像信号の状態変化を検出したときに行うように説明したが、特徴データの検出は、この時だけでなく、一定周期で定期的に行うように構成しても良い。
【００４７】
このように入力映像信号の種類の判別は、設定信号数で設定された数の信号を選択設定して、選択設定した信号の特徴データの相違点を判別条件として行うが、安全のため判別条件を用いて信号を判別し、画像表示装置の各部の設定を変更した後で、再度、全特徴データを検出して設定した信号と入力映像信号が一致しているがどうかを確認する動作も行う。もし、特徴データが一致していない場合には特徴データを順番に確認する従来の方法で入力映像信号の判別を行う。
【００４８】
以上のように本発明の第１の実施形態によれば、記録部１１１に登録された映像信号のうち、選択信号数で設定される個数に基づいて時刻の新しい順番より少なくとも２種類以上選択設定し、それらの特徴データより全ての信号について異なる特徴データを抽出して判別条件とする。そして、以降入力される映像信号の判別に、上記判別条件に設定した特徴データのみを用いて入力信号の判別を行うように動作させることにより、入力映像信号の判別を高速に行うことができ、入力切り換え時などに素早く映像を表示させることができるという効果がある。
【００４９】
また、上記した説明では記録部１１１より選択信号数で設定される個数に基づいて時刻の新しい順番より選択設定する構成について説明したが、記録部１１１に登録されている映像信号の中から、選択信号数で設定される個数の映像信号について使用者が任意の映像信号を選択設定するように構成しても同様の効果が得られる。
【００５０】
なお、本実施例では入力端子が２系統である場合について説明をしたが、これに限られるわけではなく２系統以上ある場合や１系統しかない場合についても同様の効果が得られることは明らかである。
【００５１】
（実施の形態２）
図４は本発明の第２の実施形態にかかる映像信号判別装置の一例の動作を説明するために記録部１１１に記録されている映像信号の特徴データの様子を示した模式図である。なお、上記した第１の実施形態における画像表示装置の映像信号判別装置および方法と同一構成部分には同一符号を付して詳細な説明を省略する。
【００５２】
図４（ａ）は最初に記録部１１１に記録されていた登録信号の状態であり、記録領域Ｂ２１〜Ｂ２ｍに特徴データが登録されているとする。
【００５３】
次に、ある映像信号を入力した時、その信号が記録領域Ｂ２３に記録されていた映像信号であったとすると、記録領域Ｂ２３のデータが記録部１１１の記録領域の最上位に来るように記録部１１１の記録データを並び替える（図４（ｂ））。
【００５４】
そして、映像信号が入力された時刻の新しい順番に並び替えた記録領域Ｂ３１〜Ｂ３ｍについて別途設定された選択信号数による個数について選択設定し、それらの記録領域に登録されている各特徴データを比較して、異なっている特徴データを判別条件として抽出する（図４（ｃ））。
【００５５】
例えば、図４のように選択信号数が「３」であったとすれば、映像信号が入力された時刻の新しい順に記録領域Ｂ３１、Ｂ３２、Ｂ３３を選択し、この選択した記録領域Ｂ３１〜Ｂ３３に登録されている各登録データを比較して、その中で異なる特徴データを抽出する。図４の場合では、水平走査周波数と垂直走査周波数が記録領域Ｂ３１〜Ｂ３３で異なっているが、全記録領域で異なっているのは水平走査周波数なので、水平走査周波数を判別条件に設定する。
【００５６】
以降、映像信号の入力端子を切り換えたり、接続を変更したりして入力映像信号が切り替わったときに、入力信号種類の映像信号種類判別部１１０での判別には、設定した判別条件である水平走査周波数だけを用いて信号判別を行うように動作する。
【００５７】
ここで、映像信号が入力された時刻が新しい順番に記録部１１１への登録データを並び替え、その状態で映像信号が入力された時刻が新しい順番にいくつかの映像信号を選択設定することが効果的である理由は、何種類かの映像信号を切り換えて表示している場合には、切り換える映像信号は直前に表示していた映像信号である場合が多いからである。
【００５８】
このように入力映像信号の種類の判別は、設定信号数で設定された数の信号を選択設定して、選択設定した信号の特徴データの相違点を判別条件として行うが、安全のため判別条件を用いて信号を判別し、画像表示装置の各部の設定を変更した後で、再度、全特徴データを検出して設定した信号と入力映像信号が一致しているがどうかを確認する動作も行う。もし、特徴データが一致していない場合には特徴データを順番に確認する従来の方法で入力映像信号の判別を行う。
【００５９】
以上のように本発明の第２の実施形態によれば、記録部１１１に登録された映像信号を、以前入力された映像信号と特徴が一致したもののうち、時刻の新しい順番に並び替え、選択信号数で設定される個数に基づいて時刻の新しい順番より少なくとも２種類以上選択設定し、それらの特徴データより全ての信号について異なる特徴データを判別条件とする。そして、以降入力される映像信号の判別に、上記判別条件に設定した特徴データのみを用いて入力映像信号の判別を行うように動作させることにより、入力映像信号の判別を高速に行うことができ、入力切り換え時などに素早く映像を表示させることができるという効果がある。
【００６０】
また、上記した説明では記録部１１１に登録されている映像信号の特徴データを以前入力された映像信号と特徴が一致したもののうち、時刻の新しい順番に並び替える構成について説明したが、記録領域を示すポインタなどを用いて入力された時刻が明らかになる様な方法を用いても同様な効果が得られる。
【００６１】
【発明の効果】
以上のように本発明によれば、記録部に登録された映像信号のうち、登録時刻の新しいものから順番に、または、任意に選択信号数で設定される個数の信号を選択設定し、それらの特徴データより全ての映像信号について異なる特徴データを抽出して判別条件とする。そして、以降入力される映像信号の判別に、上記判別条件に設定した特徴データのみを用いて入力信号の判別を行うように動作させることにより、映像信号の全ての特徴データを検出し、次に、全ての特徴データと登録されている特徴データを順番に比較して入力信号を判別する処理を行わないため、入力映像信号の判別を高速に行うことができ、入力切り換え時などに素早く映像を表示させることができるという効果が得られる。
【００６２】
また、記録部に登録された映像信号のうち、以前入力された映像信号と特徴が一致したもののうち、時刻の新しい順番に少なくとも２種類以上選択設定し、それらの特徴データより全ての映像信号について異なる特徴データを抽出して判別条件とする。そして、以降入力される映像信号の判別に、上記判別条件に設定した特徴データのみを用いて入力信号の判別を行うように動作させることにより、映像信号の全ての特徴データを検出し、次に、検出した全ての特徴データと登録されている特徴データを順番に比較して入力信号を判別する処理を行わないため、入力映像信号の判別を高速に行うことができ、入力切り換え時などに素早く映像を表示させることができるという効果が得られる。
【図面の簡単な説明】
【図１】本発明の第１の実施形態にかかる映像信号判別装置の構成を示したブロック図
【図２】同装置の記録部の処理を説明するための概念図
【図３】同装置の動作を説明するためのフローチャート
【図４】本発明の第２の実施形態にかかる映像信号判別装置の記録部の処理を説明するための概念図
【図５】従来の画像表示装置に使用する映像信号判別装置の一例の構成を示したブロック図
【図６】従来の映像信号判別装置の動作を説明するためのフローチャート
【符号の説明】
１００  画像表示部
１０１  第１の入力端子
１０２  第２の入力端子
１０３  第１の映像信号処理部
１０４  第１の同期信号処理部
１０５  第２の映像信号処理部
１０６  第２の同期信号処理部
１０７  映像信号切り換え部
１０８  同期信号切り換え部
１０９  映像信号特徴検出部
１１０  映像信号種類判別部
１１１  記録部
１１２  設定行う映像表示制御部
１１３  画像サイズ変換部
１１４  画像表示部駆動部
【図１】
2004240363.tif 000003
【図２】
2004240363.tif 000004
【図３】
2004240363.tif 000005
【図４】
2004240363.tif 000006
【図５】
2004240363.tif 000007
【図６】
2004240363.tif 000008